(57)【要約】【課題】画質改善に貢献することができる画質調整支援装置を提供する。【解決手段】コンテンツの種類と映像信号を視聴する視聴条件とに対応する映像信号の補正情報が補正情報記憶手段３０に記憶される。そして、コンテンツ判別手段１１ａによって映像信号から表示対象のコンテンツの種類が判別され、且つ、視聴条件情報取得手段１１ｂによって視聴条件情報が取得されると、そのコンテンツの種類と視聴条件情報とに対応する補正情報が、補正情報抽出手段１１ｃによって補正情報記憶手段３０から抽出される。そして、映像信号に対する画質調整が、その補正情報に基づいて支援手段１１ｄによって支援される。【選択図】図１
2008117366.tif 000002
【特許請求の範囲】
【請求項１】
コンテンツを表示するための映像信号の画質調整を支援する画質調整支援装置であって、
前記コンテンツの種類と前記映像信号を視聴する視聴条件とに対応する前記映像信号の補正情報を複数記憶する補正情報記憶手段と、
前記映像信号から前記コンテンツの種類を判別するコンテンツ判別手段と、
前記視聴条件を示す視聴条件情報を取得する視聴条件情報取得手段と、
前記コンテンツ判定手段が判別したコンテンツの種類と前記視聴条件情報取得手段が取得した視聴条件情報とに対応する補正情報を前記補正情報記憶手段から抽出する補正情報抽出手段と、
前記補正情報抽出手段が抽出した補正情報に基づいて前記画質調整を支援する支援手段と、
を有することを特徴とする画質調整支援装置。
【請求項２】
前記視聴条件情報取得手段が、前記映像信号を表示する周囲の照度を示す照度データを有する視聴条件情報を取得する手段であることを特徴とする請求項１に記載の画質調整支援装置。
【請求項３】
前記視聴条件情報取得手段が、視聴距離、周囲の音声、室内温度、視聴者の年齢等の視聴条件項目の中から任意に選ばれる少なくとも１つの項目データを有する視聴条件情報を取得する手段であることを特徴とする請求項１又は２に記載の画質調整支援装置。
【請求項４】
前記支援手段が、現在支援している補正情報から前記補正情報抽出手段が今回抽出した前記補正情報に徐々に変化するように前記画質調整を支援する手段であることを特徴とする請求項１〜３の何れか１項に記載の画質調整支援装置。
【請求項５】
請求項１〜４の何れか１項に記載の画質調整支援装置と、
前記画質調整支援装置の支援手段が支援に用いた補正情報に基づいて、前記映像信号の画質を調整する画質調整装置と、
を有することを特徴とする映像信号処理ユニット。
【請求項６】
コンテンツを表示するための映像信号の画質調整を支援する画質調整支援方法であって、
前記コンテンツの種類と前記映像信号を視聴する視聴条件とに対応する前記映像信号の補正情報を補正情報記憶手段に複数記憶する記憶工程と、
前記映像信号から前記コンテンツの種類を判別する判別工程と、
前記視聴条件を示す視聴条件情報を取得する取得工程と、
前記判別したコンテンツの種類と前記取得した視聴条件情報とに対応する補正情報を前記補正情報記憶手段から抽出する抽出工程と、
前記抽出した補正情報に基づいて前記画質調整を支援する支援工程と、
を有することを特徴とする画質調整支援方法。
【発明の詳細な説明】
【技術分野】
【０００１】
本発明は、映像信号の画質調整を支援する画質調整支援装置、映像信号処理ユニット、及び、画質調整支援方法等に関するものである。
【背景技術】
【０００２】
一般家庭等にはテレビジョン受信機（ＴＶ）、デジタル放送対応ＴＶ等の映像表示装置が設けられている。これらの映像表示装置では、照度センサーを用いて画質を調整するものが知られている。そして、特許文献１が示す画質調整回路は、ドライブ電圧の異なる映像信号において、外部環境の明暗による画質の自動調整を映像信号別に分けることで、異なる映像信号においても同等の画質を得るようにしている。
【特許文献１】特開平１０−２１５４２５号公報
【発明の開示】
【発明が解決しようとする課題】
【０００３】
しかしながら、上述したように外部環境の照度に基づいて画質調整を行う場合、映像信号に基づいて表示している表示内容によっては、必ずしも照度環境に応じて調整した画質が表示内容に適しているとは限らなかった。詳細には、例えば表示内容がスポーツ中継と映画とでは、暗い室内で視聴している場合に暗くする画質を調整すると、スポーツ観戦には適さないという問題が生じてしまう。このように従来の外部環境に基づいた補正は、映像表示装置の製品性能の維持を目的としているため、画質改善に大きく寄与できていなかった。本発明が解決しようとする課題は、上記した問題が一例として挙げられる。【０００４】
よって本発明は、上述した問題点に鑑み、画質改善に貢献することができる画質調整支援装置、映像信号処理ユニット、及び、画質調整支援方法を提供することを課題としている。
【課題を解決するための手段】
【０００５】
上記課題を解決するため本発明によりなされた請求項１記載の画質調整支援装置は、コンテンツを表示するための映像信号の画質調整を支援する画質調整支援装置であって、前記コンテンツの種類と前記映像信号を視聴する視聴条件とに対応する前記映像信号の補正情報を複数記憶する補正情報記憶手段と、前記映像信号から前記コンテンツの種類を判別するコンテンツ判別手段と、前記視聴条件を示す視聴条件情報を取得する視聴条件情報取得手段と、前記コンテンツ判定手段が判別したコンテンツの種類と前記視聴条件情報取得手段が取得した視聴条件情報とに対応する補正情報を前記補正情報記憶手段から抽出する補正情報抽出手段と、前記補正情報抽出手段が抽出した補正情報に基づいて前記画質調整を支援する支援手段と、を有することを特徴とする。【０００６】
上記課題を解決するため本発明によりなされた請求項５記載の映像信号処理ユニットは、請求項１〜４の何れか１項に記載の画質調整支援装置と、前記画質調整支援装置の支援手段が支援に用いた補正情報に基づいて、前記映像信号の画質を調整する画質調整装置と、を有することを特徴とする。【０００７】
上記課題を解決するため本発明によりなされた請求項７記載の画質調整支援方法は、コンテンツを表示するための映像信号の画質調整を支援する画質調整支援方法であって、前記コンテンツの種類と前記映像信号を視聴する視聴条件とに対応する前記映像信号の補正情報を補正情報記憶手段に複数記憶する記憶工程と、前記映像信号から前記コンテンツの種類を判別する判別工程と、前記視聴条件を示す視聴条件情報を取得する取得工程と、前記判別したコンテンツの種類と前記取得した視聴条件情報とに対応する補正情報を前記補正情報記憶手段から抽出する抽出工程と、前記抽出した補正情報に基づいて前記画質調整を支援する支援工程と、を有することを特徴とする。
【図面の簡単な説明】
【０００８】
【図１】本発明に係る画質調整支援装置及び映像信号処理ユニットの基本構成の一例を示す構成図である。
【図２】本発明の画質調整支援装置及び映像信号処理ユニットを適用した映像表示装置のシステム構成の一例を示すシステム構成図である。
【図３】コンテンツの種類と視聴条件情報と補助情報との関係を説明するための図である。
【図４】補正情報のデータ構造の一例を説明するための図である。
【図５】図２中の制御部が実行する画質調整支援処理の一例を示すフローチャートである。
【符号の説明】
【０００９】
１    画像調整支援装置
２    映像信号
５    映像信号処理ユニット
１０    映像表示装置
１１ａ    視聴条件情報取得手段（制御部）
１１ｂ    コンテンツ判別手段（制御部）
１１ｃ    補正情報抽出手段（制御部）
１１ｄ    支援手段（制御部）
１３    画質調整装置（映像処理部）
３０    補正情報記憶手段（記憶部）
【発明を実施するための最良の形態】
【００１０】
以下、本発明に係る画質調整支援装置と映像信号処理ユニットの一実施の形態を、図１の図面を参照して以下に説明する。【００１１】
図１において、画質調整支援装置１は、コンテンツを表示するための映像信号の画質調整を支援する画質調整支援装置であって、前記コンテンツの種類と前記映像信号を視聴する視聴条件とに対応する前記映像信号の補正情報を複数記憶する補正情報記憶手段３０と、前記映像信号から前記コンテンツの種類を判別するコンテンツ判別手段１１ａと、前記視聴条件を示す視聴条件情報を取得する視聴条件情報取得手段１１ｂと、前記コンテンツ判別手段１１ａが判別したコンテンツの種類と前記視聴条件情報取得手段１１ｂが取得した視聴条件情報とに対応する補正情報を前記補正情報記憶手段３０から抽出する補正情報抽出手段１１ｃと、前記補正情報抽出手段１１ｃが抽出した補正情報に基づいて前記画質調整を支援する支援手段１１ｄと、を有している。【００１２】
この画質調整支援装置１によれば、コンテンツの種類と映像信号を視聴する視聴条件とに対応する映像信号の補正情報が補正情報記憶手段３０に記憶される。そして、コンテンツ判別手段１１ａによって映像信号から表示対象のコンテンツの種類が判別され、且つ、視聴条件情報取得手段１１ｂによって視聴条件情報が取得されると、そのコンテンツの種類と視聴条件情報とに対応する補正情報が、補正情報抽出手段１１ｃによって補正情報記憶手段３０から抽出される。そして、映像信号に対する画質調整が、その補正情報に基づいて支援手段１１ｄによって支援される。【００１３】
よって、コンテンツの種類を判別し且つ視聴条件情報を取得し、その双方に対応する補正情報に基づいて映像信号の画質補正を支援するようにしたことから、表示するコンテンツの種類と視聴条件との双方に適した映像信号となるように補正を支援することができるため、映像信号は最適な画質に補正されることになり、画質の改善に貢献することができる。従って、従来のように外部環境にのみ対応するように映像信号を補正することで、調整した画質が表示内容に適さずに、視認性を低下させるという問題を解消することができる。【００１４】
また、上述した画質調整支援装置１において、前記視聴条件情報取得手段１１ｂが、前記映像信号を表示する周囲の照度を示す照度データを有する視聴条件情報を取得する手段となっている。【００１５】
この画質調整支援装置１によれば、視聴条件情報取得手段１１ｂによって映像信号を表示する周囲の照度を示す照度データを有する視聴条件情報を取得するようにしたことから、周囲の照度とコンテンツの種類とに適した補正情報による映像信号の補正を支援することができるため、より一層の画質の改善に貢献することができる。【００１６】
また、上述した画質調整支援装置１において、前記視聴条件情報取得手段１１ｂが、視聴距離、周囲の音声、室内温度、視聴者の年齢等の視聴条件項目の中から任意に選ばれる少なくとも１つの項目データを有する視聴条件情報を取得する手段となっている。【００１７】
この画質調整支援装置１によれば、視聴条件情報取得手段１１ｂが取得する視聴条件情報は、任意に選ばれた１又は複数の視聴条件の項目データを有していることから、任意に選ばれた視聴条件とコンテンツの種類に適した視聴条件情報を取得することができるため、より一層の画質の改善に貢献することができる。【００１８】
また、上述した画質調整支援装置１において、前記支援手段１１ｄが、現在支援している補正情報から、前記補正情報抽出手段１１ｃが今回抽出した前記補正情報に徐々に変化するように前記画質調整を支援する手段となっている。【００１９】
この画質調整支援装置１によれば、映像信号の画質調整に現在用いている補正情報を、今回抽出した補正情報に徐々に変化させるようにしたことから、コンテンツの種類、環境条件等の変化に応じても、画質調整によって映像信号が急激に変化することを防止できるため、視聴者に違和感を与えることなく、画質調整を行うことができる。【００２０】
また、映像信号処理ユニット５は、上述した画質調整支援装置１と、前記画質調整支援装置の支援手段が支援に用いた補正情報に基づいて、前記映像信号の画質を調整する画質調整装置１３と、を有している。【００２１】
この映像処理ユニット５によれば、画質調整支援装置１がコンテンツの種類と視聴条件とに対応した補正情報に基づいて支援を行うと、画質調整装置１３はその補正情報に基づいて映像信号の画質を調整することから、その補正した映像信号はコンテンツの種類と視聴条件との双方に適した映像信号となるため、映像信号は最適な画質に補正されることになり、画質の改善に貢献することができる。従って、従来のように外部環境にのみ対応するように映像信号を補正することで、調整した画質が表示内容に適さずに、視認性を低下させるという問題を解消することができる。
【実施例】
【００２２】
以下、前述した画質調整支援装置を有する映像信号処理ユニットを映像表示装置で実現する場合の実施例を、図２〜図５の図面を参照して説明する。なお、前述したところで説明したものと同一あるいは相当する部分には同一符号を付している。【００２３】
図２において、一般家庭等に設けられＰＤＰ（plasma display panel）、ＬＣＤ（liquid crystal display）等のテレビジョン受信機である映像表示装置１０は、制御部１１と、記憶部１２と、映像処理部１３と、出力処理部１４と、表示部１５と、音声出力部１６と、光センサ１７と、操作部１８と、を有している。映像表示装置１０は、コンテンツを表示するための映像信号２の画質調整して表示する装置である。【００２４】
制御部１１は、映像表示装置１０全体の制御を司る。制御部１１は、周知であるマイクロプロセッサユニット、ＤＳＰ（Digital Signal Processor）等が用いられる。制御部１１は、上述した画質調整支援装置としてのコンテンツ判別手段、視聴条件情報取得手段、補正情報抽出手段、及び、支援手段として機能するための各種プログラムを図示しない内蔵メモリに記憶している。制御部１１は、記憶部１２と映像処理部１３と光センサ１７と操作部１８とに接続している。【００２５】
記憶部１２は、ＥＥＰＲＯＭ（electrically erasable and programmable ROM）、ハードディスク装置等が用いられる。記憶部１２は、補正情報データベース３０、外部から取得した視聴条件情報３２等の各種情報を記憶する記憶領域を有している。なお、ここでは、利用者の視聴距離に適した補正情報データベース３０を記憶していることを前提としている。そして、この場合は映像表示装置１０の初期設定等で操作部１８から視聴距離を設定させ、予め記憶している複数の補正情報データベース３０の中から、その視聴距離に対応した補正情報データベース３０を選択するようにしている。【００２６】
補正情報データベース３０は、複数の補正情報３１を有している。補正情報データベース３０は、映像信号２が示すコンテンツの種類と視聴条件情報３２とに対応するように複数の補正情報３１を管理しており、その構成の一例を図３に示す。【００２７】
なお、説明を簡単化するために、図３においては、コンテンツを例えばスポーツ、バラエティー、ドラマ、映画、紀行番組等の任意の種類Ａ〜Ｅに分類し、視聴条件情報を照度とした場合について説明する。そして、コンテンツの種類Ａ〜Ｅに対し、照度を照度区分ａ〜ｅに区分している。なお、照度区分ａ〜ｅ［lx］の一例としては、１００未満（暗室）、１００以上３００未満（暗い室内）、３００以上５００未満（明るい室内）、５００〜１０００未満（暗い店頭）、１０００以上（明るい店頭）等が挙げられる。【００２８】
コンテンツの種類Ａ〜Ｅと照度区分ａ〜ｅとの配列Ｔ１１〜Ｔ５５に対応するように、補正情報３１を設けている。この補正情報３１の各々は、図４に示すように、パネル系補正項目３１ａと、信号処理系補正項目３１ｂと、を有している。パネル系補正項目３１ａは、ＡＢＬ設定、ピークパルス切替、駆動シーケンス切替等の各種項目データを有している。信号処理系補項目正３１ｂは、コントラスト、ブライト、カラー、シャープネス等の各種項目データを有している。そして、上述した各項目には、コンテンツの種類Ａ〜Ｅと照度区分ａ〜ｅとに対応して予め定められた任意の設定値が設定される。なお、補正情報３１の項目データは、画質調整に応じて任意に定めることができる。【００２９】
視聴条件情報３２は、映像信号２を視聴する視聴条件を示す複数の項目データを有している。本実施例では、視聴距離と周囲の照度を項目データとしている場合について説明するが、項目は任意に設定することができる。そして、複数の項目データを組み合わせることで、より最適な視聴条件を認識することが出くる。即ち、最適な補正情報を抽出することができるため、より視聴条件に適した映像信号２に補正することができる。【００３０】
映像処理部１３は、上述した画質調整装置１３として機能しており、例えばチューナ、入力端子等から入力される映像信号２に対して各種処理（画質調整等）を行って映像音声切替部１４に出力する。映像処理部１３は、抽出部１３ａと、第１画質調整部１３ｂと、第２画質調整部１３ｃと、を有している。映像処理部１３は、ＡＳＩＣ（application specific integrated circuit）、ＤＳＰ（digital signal processor）、電気回路等で実現される。【００３１】
抽出部１３ａは、映像信号２からコンテンツを判別するための映像情報を抽出して制御部１１に出力する。第１画質調整部１３ｂは、制御部１１によって設定された、信号処理系補項目正データ３１ｂのコントラスト、ブライト、カラー、シャープネス等の各種データに基づいて、映像信号２に対する画質調整を行う。第２画質調整部１３ｃは、制御部１１によって設定された、パネル系補正項目データ３１ａのＡＢＬ設定、ピークパルス切替、駆動シーケンス切替等の各種データに基づいて、表示部１５に関する補正を映像信号２に対して行う。【００３２】
出力処理部１４は、映像処理部１３から入力される映像信号２に基づいて、その映像データを表示部１５に出力すると共に、その音声データを音声出力部１６に出力する。表示部１５は、出力処理部１４に接続しており、そこから入力された映像データを表示する。音声出力部１６は、出力処理部１５に接続しており、そこから入力された音声信号を増幅して外部に出力する。【００３３】
光センサ１７は、制御部１１に接続しており、視聴条件情報取得手段として機能している。光センサ１７は、公知であるように、映像表示装置１０の周囲の照度を検出した照度信号を制御部１１に出力する。そして、制御部１１は、入力された照度信号の値を環境条件情報として取得する。【００３４】
操作部１８は、制御部１１に接続しており、複数の操作キー（図示せず）を有している。操作部１８は、前記操作キーが操作されると、その操作に応じた操作情報を制御部１１に出力する。そして、制御部１１は、入力された操作情報に基づいて、利用者からの入力操作を解析し、その要求に応じた処理を行う。なお、操作部１８は、利用者にデータを入力されることができるため、視聴条件情報３２として、視聴距離、視聴者の年齢等の各種条件データを入力させることもできる。即ち、実施形態によっては、操作部１８も視聴条件情報取得手段として機能することになる。【００３５】
このように構成した映像表示装置１０は、映像処理部１３に映像信号２が入力されると、該映像信号２は制御部１１によって設定された補正情報に基づいて補正が行われて出力処理部１４に出力される。そして、その映像信号２の映像データは表示部１５に出力されることで表示部１５に表示され、且つ、その音声データは音声出力部１６に出力されることで音声出力部１６から外部に出力される。【００３６】
次に、上述した制御部１１が実行する画質調整支援処理の一例を、図５に示すフローチャートを参照して以下に説明する。【００３７】
映像表示装置１０の起動等に応じて制御部１１によって画質調整支援処理が実行されると、ステップＳ１１において、映像処理部１３の抽出部から映像情報が取得され、ステップＳ１２（コンテンツ判別手段）において、その映像情報の分析結果からコンテンツの種類が判別され、その種類を示す種類データが内蔵メモリ等に記憶され、その後ステップＳ１３に進む。【００３８】
なお、コンテンツの種類判別方法としては、例えば、映像情報の時系列的な解析結果に基づいて判別する、電子番組表（ＥＰＧ）等を参照して判別する、インターネットを介して表示対象の番組情報を取得して判別する、映像情報の解析結果とＥＰＧ等の番組情報データとに基づいて判別するなど、種々異なる方法を用いることができる。また、コンテンツ判別は、映像情報を分析することで十分適用できるが、ＥＰＧ等の番組情報データを利用することで、より正確にコンテンツの種類を判別することができる。【００３９】
ステップＳ１３（視聴条件情報取得手段）において、光センサ１７から入力された照度信号の値が照度データに変換され、該照度データを有する環境条件情報として取得されて記憶部１２に記憶され、その後ステップＳ１５に進む。なお、照度の他に例えば、室内温度、音声等の複数の視聴条件を取得する場合は、それらを視聴条件情報３２として取得することになる。【００４０】
ステップＳ１４において、前回判別したコンテンツの種類と今回判別したコンテンツの種類から他のコンテンツに切り替わったか、視聴条件情報３２に予め定められた変化が生じたか等に基づいて、補正情報の切替タイミングであるか否かが判定される。切替タイミングではないと判定された場合（Ｓ１４でＮ）、ステップＳ１１に戻り、一連の処理が繰り返される。一方、切替タイミングであると判定された場合（Ｓ１４でＹ）、今回判別したコンテンツの種類が記憶部１２等に記憶され、その後ステップＳ１５に進む。【００４１】
ステップＳ１５（補正情報抽出手段）において、判別されたコンテンツの種類と、取得された環境条件情報の照度データと、に対応する補正情報３１が、記憶部１２に記憶している補正情報データベース３０から抽出され、その後ステップＳ１６に進む。【００４２】
ステップＳ１６（支援手段）において、補正情報展開処理が実行されることで、ステップＳ１５で抽出された補正情報のパネル系補正項目３１ａと信号処理系補正項目３１ｂとの各項目データが対応する映像処理部１３の第１画質調整部１３ｂと第２画質調整部１３ｃに展開されて設定され、その後ステップＳ１１に戻り、一連の処理が繰り返される。【００４３】
なお、本実施例における補正情報展開処理では、前回の補正情報から今回の補正情報に段階的に変化させるため、予め任意に定められた複数の段階を経て今回の補正情報に徐々に遷移するように、前記複数の段階に対応した１又は複数の遷移用補正情報が、前回の補正情報と今回の補正情報とに基づいて生成される。そして、その遷移用補正情報を遷移速度に応じて切り換えて展開し、最終的に今回の補正情報を展開する。このように補正情報を展開することで、映像信号２が突然変化して視認されることを防止している。【００４４】
次に、上述した映像表示装置１０における映像信号２の画質調整の一例を以下に説明する。【００４５】
映像表示装置１０は、初期設定等に応じて視聴者等によって操作部１８が操作されると、その操作に応じた入力データが例えば視聴距離、視聴者の視聴に関する身体的特徴（視力、年齢等）などの視聴者の視聴条件情報３２として取得されて記憶部１２等に記憶する（記憶工程）。そして、その視聴条件情報３２に対応する補正情報データベース３０を映像表示装置１０における参照用データベースとして設定する。【００４６】
映像表示装置１０は、映像信号２が入力されると、その映像情報に基づいてコンテンツの種類を判別し（判別工程）、且つ、光センサ１７から入力される照度信号に基づいて周囲の照度を検出して視聴条件情報３２として取得する（取得工程）。そして、そのコンテンツの種類と視聴条件情報３２の照度区分とに対応した補正情報３１を補正情報データベース３０から抽出し（抽出工程）、その補正情報を映像処理部１３に展開する（支援工程）。これにより、最適な補正情報に基づいた映像信号２の画像調整が信号処理部１３によって行われ、出力処理部１４を介して映像データは表示部１５に表示され、且つ、音声データは音声処理部１６から外部に出力される。【００４７】
以上説明した映像表示装置１０によれば、コンテンツの種類を判別し且つ視聴条件情報３２を取得し、その双方に対応する補正情報に基づいて映像信号２の画質補正を支援するようにしたことから、表示するコンテンツの種類と視聴条件との双方に適した映像信号２となるように補正を支援することができるため、映像信号２は最適な画質に補正されることになり、画質の改善に貢献することができる。【００４８】
なお、上述した本実施例では、操作部１８から視聴距離、光センサ１７から照度をそれぞれ視聴条件情報３２として取得する場合について説明したが、本発明はこれに限定するものではなく、任意に定められた情報を視聴条件情報３２として取得することができる。【００４９】
例えば、照度と共にマイクロフォン等により周囲の音声、温度センサ等により室内温度を取得して、それらの複数の項目データを有する視聴条件情報３２とコンテンツの種類とに対応する補正情報３１を補正情報データベース３０に格納しておくことで、周囲の雰囲気に適した視聴条件情報３２を取得できるため、より一層の画質の改善に貢献することができる。また、視聴条件情報３２として周囲の音声を取得すれば、視聴者の盛り上がり状態等を考慮した画質調整を行うことができる。【００５０】
なお、上述した本実施例では、本発明に係る画質調整支援装置と映像信号処理ユニットを映像表示装置１０で実現する場合について説明したが、本発明はこれに限定するものではなく、例えばＨＤＤ（hard disk drive）／ＤＶＤ（digital versatile disk）レコーダ、ＳＴＢ（set-top box）等の映像信号２が入力される機器や、映像信号２を処理する機器などの各種機器に適用することもできる。【００５１】
このように上述した実施例は本発明の代表的な形態を示したに過ぎず、本発明は、実施形態に限定されるものではない。即ち、本発明の骨子を逸脱しない範囲で種々変形して実施することができる。
【図１】
2008117366.tif 000003
【図２】
2008117366.tif 000004
【図３】
2008117366.tif 000005
【図４】
2008117366.tif 000006
【図５】
2008117366.tif 000007
【国際調査報告】
2008117366.tif 000008
2008117366.tif 000009
2008117366.tif 000010
2008117366.tif 000011